(57)【要約】      （修正有）【課題】複数の紙葉類処理ユニットのうちの一部を表示する際に、どの紙葉類処理ユニットが表示されているのかを、直感的に把握しやすくした紙葉類処理システムを提供する。【解決手段】紙葉類処理システムは、紙葉類を処理する複数の紙葉類処理ユニットを含む。紙葉類処理システムは、１つ以上の紙葉類処理ユニットに関する情報を表示する操作表示部５９を備えている。操作表示部５９は、複数の紙葉類処理ユニットの一部の紙葉類処理ユニットに関する情報を表示する際に、紙葉類処理ユニットに関する情報をユニット単位で表示する。【選択図】図２
2014229240.tif 000002
【特許請求の範囲】
【請求項１】
紙葉類を処理する複数の紙葉類処理ユニットを含んだ紙葉類処理システムにおいて、
１つ以上の前記紙葉類処理ユニットに関する情報を表示する表示部を備え、
前記表示部は、複数の紙葉類処理ユニットのうちの一部の紙葉類処理ユニットに関する情報を表示する際に、前記紙葉類処理ユニットに関する情報をユニット単位で表示することを特徴とする紙葉類処理システム。
【請求項２】
各紙葉類処理ユニットに関する情報と、前記紙葉類処理システムに含まれる前記紙葉類処理ユニットの構成及び配置を記憶する記憶部をさらに備え、
前記表示部は、前記記憶部に記憶された、各紙葉類処理ユニットに関する情報並びに前記紙葉類処理システムに含まれる前記紙葉類処理ユニットの構成及び配置に基づいて、１つ以上の前記紙葉類処理ユニットに関する情報を表示することを特徴とする請求項１に記載の紙葉類処理システム。
【請求項３】
前記表示部が複数の紙葉類処理ユニットを表示する場合、前記表示部は互いに隣接した紙葉類処理ユニットを表示することを特徴とする請求項１又は２のいずれかに記載の紙葉類処理システム。
【請求項４】
前記表示部の表示を切り換えるための入力部をさらに備え、
前記入力部を操作することで、当該入力部の操作時に表示されていない紙葉類処理ユニットのうち、前記入力部の操作時に表示されている紙葉類処理ユニットに隣接した紙葉類処理ユニットを表示するよう、前記表示部の表示が切り換えられることを特徴とする請求項１乃至３のいずれか１項に記載の紙葉類処理システム。
【請求項５】
前記表示部に表示されている紙葉類処理ユニットに隣接した紙葉類処理ユニットが存在しない場合、前記表示部の表示を切り換えることができない旨を報知することを特徴とする請求項４に記載の紙葉類処理システム。
【請求項６】
前記紙葉類処理ユニットに関する情報は、前記紙葉類処理ユニットの外観又は前記紙葉類処理ユニットの内部構造を示す基本情報を含むことを特徴とする請求項１乃至５のいずれか１項に記載の紙葉類処理システム。
【請求項７】
前記紙葉類処理ユニットに関する情報は、前記紙葉類処理ユニットの設定情報を含むことを特徴とする請求項１乃至６のいずれか１項に記載の紙葉類処理システム。
【請求項８】
前記紙葉類処理ユニットに関する情報は、前記紙葉類処理ユニットの外観を示す情報又は紙葉類処理ユニットの内部構造を示す情報と、前記紙葉類処理ユニットの設定情報とを含み、
前記紙葉類処理ユニットの外観を示す情報又は前記紙葉類処理ユニットの内部構造を示す情報を選択することで、前記表示部は、選択された紙葉類処理ユニットの設定情報を表示することを特徴とする請求項１乃至７のいずれか１項に記載の紙葉類処理システム。
【請求項９】
複数の紙葉類処理ユニットを含んだ紙葉類処理システムを用いた紙葉類処理方法において、
紙葉類を処理する工程と、
表示部によって、１つ以上の前記紙葉類処理ユニットに関する情報を表示する工程と、
を備え、
前記表示部は、複数の紙葉類処理ユニットのうちの一部を表示する際に、紙葉類処理ユニットをユニット単位で表示することを特徴とする紙葉類処理方法。
【発明の詳細な説明】
【技術分野】
【０００１】
本発明は、紙幣、小切手、商品券、帳票等の紙葉類を処理する紙葉類処理システムと、紙葉類処理システムを用いた紙葉類処理方法に関する。
【背景技術】
【０００２】
従来から、紙葉類を処理する紙葉類処理システムが知られている。そして、このような紙葉類処理システムにおいて、ジャム等のエラーが発生した際にエラーが発生した箇所を表示したり、発生したエラーを解除する手順を表示したりする表示部を備えた紙葉類処理システムが知られている（特許文献１参照）。
【先行技術文献】
【特許文献】
【０００３】
【特許文献１】国際公開公報２００８−０４４２７９号公報
【発明の概要】
【発明が解決しようとする課題】
【０００４】
しかしながら、特許文献１に開示されているような従来の紙葉類処理システムの表示部では、紙葉類処理システムの全体を表示しており、エラーが発生した箇所等の本来表示したい箇所は小さく表示されるに過ぎない。
【０００５】
この点、表示したい箇所を拡大して表示することも考えられる。しかしながら、表示したい箇所を単に拡大すると、紙葉類処理ユニットが途中で切れた状態で表示され、どの紙葉類処理ユニットが表示されているのかを、オペレータが直感的に把握しにくい場合がある。
【０００６】
また、紙葉類処理システムにおける紙葉類処理ユニットの組み合わせが多数考えられる場合には、実際の組み合わせに対応した画像データを、その都度準備しなければならないという問題もある。
【０００７】
本発明は、このような点を鑑みてなされたものであり、複数の紙葉類処理ユニットのうちの一部が表示された際に、複数の紙葉類処理ユニットのうちのどの紙葉類処理ユニットが表示されているのかを直感的に把握しやすい紙葉類処理システムと、このような紙葉類処理システムを用いた紙葉類処理方法を提供する。
【課題を解決するための手段】
【０００８】
本発明による紙葉類処理システムは、
紙葉類を処理する複数の紙葉類処理ユニットを含んだ紙葉類処理システムであって、
１つ以上の前記紙葉類処理ユニットに関する情報を表示する表示部を備え、
前記表示部が、複数の紙葉類処理ユニットのうちの一部の紙葉類処理ユニットに関する情報を表示する際に、前記紙葉類処理ユニットに関する情報をユニット単位で表示する。
【０００９】
本発明による紙葉類処理システムは、
各紙葉類処理ユニットに関する情報と、前記紙葉類処理システムに含まれる前記紙葉類処理ユニットの構成及び配置を記憶する記憶部をさらに備え、
前記表示部は、前記記憶部に記憶された、各紙葉類処理ユニットに関する情報並びに前記紙葉類処理システムに含まれる前記紙葉類処理ユニットの構成及び配置に基づいて、１つ以上の前記紙葉類処理ユニットに関する情報を表示してもよい。
【００１０】
本発明による紙葉類処理システムにおいて、
前記表示部が複数の紙葉類処理ユニットを表示する場合、前記表示部は互いに隣接した紙葉類処理ユニットを表示してもよい。
【００１１】
本発明による紙葉類処理システムは、
前記表示部の表示を切り換えるための入力部をさらに備え、
前記入力部を操作することで、当該入力部の操作時に表示されていない紙葉類処理ユニットのうち、前記入力部の操作時に表示されている紙葉類処理ユニットに隣接した紙葉類処理ユニットを表示するよう、前記表示部の表示が切り換えられてもよい。
【００１２】
本発明による紙葉類処理システムにおいて、
前記表示部に表示されている紙葉類処理ユニットに隣接した紙葉類処理ユニットが存在しない場合、前記表示部の表示を切り換えることができない旨を報知してもよい。
【００１３】
本発明による紙葉類処理システムにおいて、
前記紙葉類処理ユニットに関する情報は、前記紙葉類処理ユニットの外観又は前記紙葉類処理ユニットの内部構造を示す基本情報を含んでもよい。
【００１４】
本発明による紙葉類処理システムにおいて、
前記紙葉類処理ユニットに関する情報は、前記紙葉類処理ユニットの設定情報を含んでもよい。
【００１５】
本発明による紙葉類処理システムにおいて、
前記紙葉類処理ユニットに関する情報は、前記紙葉類処理ユニットの外観を示す情報又は紙葉類処理ユニットの内部構造を示す情報と、前記紙葉類処理ユニットの設定情報とを含み、
前記紙葉類処理ユニットの外観を示す情報又は前記紙葉類処理ユニットの内部構造を示す情報を選択することで、前記表示部は、選択された紙葉類処理ユニットの設定情報を表示してもよい。
【００１６】
本発明による紙葉類処理方法は、
複数の紙葉類処理ユニットを含んだ紙葉類処理システムを用いた紙葉類処理方法において、
紙葉類を処理する工程と、
表示部によって、１つ以上の前記紙葉類処理ユニットに関する情報を表示する工程と、
を備え、
前記表示部が、複数の紙葉類処理ユニットのうちの一部を表示する際に、紙葉類処理ユニットをユニット単位で表示する。
【発明の効果】
【００１７】
本発明によれば、表示部が、複数の紙葉類処理ユニットのうちの一部を表示する際、紙葉類処理ユニットをユニット単位で表示する。このため、このように複数の紙葉類処理ユニットのうちの一部が表示部で表示された際に、複数の紙葉類処理ユニットのうちのどの紙葉類処理ユニットが表示されているのかを、直感的に把握しやすくすることができる。
【図面の簡単な説明】
【００１８】
【図１】図１は、本発明の実施の形態による紙幣処理装置の構成を示す縦断面図である。
【図２】図２は、本発明の実施の形態による紙幣処理装置の操作表示部で表示される内容の一例を示した図である。
【図３】図３は、図２の左上の画面を右側にスクロールさせた内容を示した図である。
【図４】図４は、本発明の実施の形態による紙幣処理装置の操作表示部で表示される内容の別の例を示した図である。
【図５】図５は、本発明の実施の形態による紙幣処理装置の操作表示部で表示される内容のさらに別の例を示した図である。
【図６】図６は、本発明の実施の形態による紙幣処理装置の機能ブロック図である。
【図７】図７は、本発明の実施の形態で用いられる紙幣処理装置の構成及び配置の一例を示す図である。
【図８】図８は、本発明の実施の形態で用いられる紙幣処理装置の構成及び配置の別の例を示す図である。
【図９】図９は、本発明の実施の形態で用いられる紙幣処理装置の構成及び配置のさらに別の例を示す図である。
【図１０】図１０は、本発明の実施の形態で用いられる紙幣処理装置の構成及び配置のさらに異なる例を示す図である。
【図１１】図１１は、本発明の実施の形態による紙幣処理装置の操作表示部で、紙葉類処理ユニットの外観が拡大して表示された態様を示した図である。
【発明を実施するための形態】
【００１９】
実施の形態
《構成》
以下、本発明に係る紙葉類処理システム及び紙葉類処理方法の実施の形態について、図面を参照して説明する。ここで、図１乃至図１１は本発明の実施の形態を説明するための図である。
【００２０】
なお、本願において「紙葉類処理システム」は「紙葉類処理装置」単体を含む概念として用いられている。このため、「特許請求の範囲」で記載されている「紙葉類処理システム」は、紙葉類処理装置１００そのものを意味することもあれば、紙葉類処理装置１００とそれ以外の装置とを組み合わせたものを意味することもある。以下では、主として、紙葉類処理システムが紙葉類処理装置１００そのものを意味する態様を用いて説明する。また、本願における「紙葉類」とは、紙幣、小切手、商品券、帳票等のことを意味するが、代表的なものとしては紙幣を意味する。
【００２１】
図１に示すように、本実施の形態の紙葉類処理装置１００は、筐体１と、筐体１に設けられて複数の紙葉類を受け入れる受入部１１と、受入部１１で受け入れられた紙葉類を１枚ずつ取り込む取込部１０と、取込部１０から筐体１内に取り込まれた各紙葉類を搬送する搬送部７０と、搬送部７０で搬送された紙葉類を識別して計数する識別計数部５５と、後述するスタッカ６１ａ−６１ｄに集積されない紙葉類をリジェクトする複数のリジェクト部６５ａ，６５ｂと、を備えている。なお、本実施の形態の識別計数部５５は、紙幣を識別する際には、例えば紙幣の金種、正損、表裏、新旧、方向、真偽等を識別する。
【００２２】
また、本実施の形態の紙葉類処理装置１００は、識別計数部５５で識別された紙葉類を集積する複数のスタッカ６１ａ−６１ｄを含んだスタッカユニット６０を備えている。このスタッカ６１ａ−６１ｄは、前面が開口しており、オペレータはスタッカ６１ａ−６１ｄ内の紙葉類を自由に取り出すことができる。なお、上述した受入部１１、取込部１０及び識別計数部５５を含むユニットで取込識別ユニット１５が構成されている。
【００２３】
また、本実施の形態の紙葉類処理装置１００は、例えば１００枚といった所定枚数の紙葉類を結束する２つの紙葉類結束ユニット２００，３００を備えている。
【００２４】
また、本実施の形態の紙葉類処理装置１００は、紙葉類を反転させる紙葉類反転部９１，９５を含んだ紙葉類反転ユニット９０も備えている。この紙葉類反転部９１，９５は、搬送部７０で紙葉類を短手方向に搬送した場合、搬送されている紙葉類をその短手方向の向きが逆向きになるように表裏反転させる短手反転部９５と、搬送部７０で搬送されている紙葉類をその長手方向の向きが逆向きになるように表裏反転させる長手反転部９１とを有している。なお、これら短手反転部９５及び長手反転部９１で紙葉類を反転させる方法の詳細についてはＷＯ２０１０／０９７９５４号に開示されていることから、詳細な説明は省略する。
【００２５】
また、図１に示すように、搬送部７０には、搬送部７０で搬送される紙葉類を適宜分岐するための複数の分岐部材７１が設けられている。また、搬送部７０には、搬送部７０を通過する紙葉類を検知したり、紙葉類の有無を検知したりするための複数のセンサ７２が設けられている。なお、受入部１１に設けられたセンサ７２は、受入部１１内に紙葉類があるか否かを判断するために用いられる。
【００２６】
ちなみに、搬送部７０、分岐部材７１及びセンサ７２は、取込識別ユニット１５、紙葉類反転ユニット９０、スタッカユニット６０及び紙葉類結束ユニット２００，３００の各々に含まれている。
【００２７】
また、本実施の形態の紙葉類結束ユニット２００，３００は、搬送部７０で搬送された結束用の複数の紙葉類を集積するための複数の結束用紙葉類集積部２１０ａ−２１０ｃ，３１０ａ−３１０ｃと、結束用紙葉類集積部２１０ａ−２１０ｃ，３１０ａ−３１０ｃに集積された紙葉類を結束帯で結束して紙葉類束を生成するための結束部２５０，３５０と、を有している。
【００２８】
また、紙葉類結束ユニット２００，３００は、結束用紙葉類集積部２１０ａ−２１０ｃ，３１０ａ−３１０ｃから結束部２５０，３５０に結束用の紙葉類を搬送するための結束前搬送部２２０，３２０と、結束部２５０，３５０から紙葉類束を搬送するための結束後搬送部２６０，３６０と、結束後搬送部２６０，３６０で搬送される結束された紙葉類束を収容する紙葉類束集積部２７０，３７０も有している。なお、紙葉類束集積部２７０，３７０に収容された紙葉類束は、当該紙葉類束集積部２７０，３７０によって、束放出口（図示せず）に放出することができる。上述した結束部２５０，３５０は、例えば１００枚の紙葉類に結束帯を巻き掛け、当該結束帯を止めることで、紙葉類を結束して紙葉類束とする。
【００２９】
また、図１に示すように、紙葉類結束ユニット２００，３００は、取引終了時に結束用紙葉類集積部２１０ａ−２１０ｃ，３１０ａ−３１０ｃに集積されている端数の紙葉類をオペレータに放出する端数返却口２８５，３８５も有している。
【００３０】
本実施の形態の紙葉類処理装置１００は、例えばタッチパネル等からなり所定の情報を表示するとともに、所定の情報を入力することができる操作表示部５９も備えている。この操作表示部５９は、１つ以上の紙葉類処理ユニットに関する情報を表示するようになっており、複数の紙葉類処理ユニットのうちの一部の紙葉類処理ユニットに関する情報を表示する際には、対象となっている紙葉類処理ユニットに関する情報をユニット単位で表示する。また、この操作表示部５９では、画面に表示されたボタン等を押下することで表示を切り換えることができるようになっている。このように、本実施の形態では、操作表示部５９が「特許請求の範囲」の「表示部」と「入力部」の役割を果たしている。なお、「ユニット単位で表示する」とは、「紙葉類処理ユニット」が途中で切断されて表示されることはなく、紙葉類処理ユニットの全体が表示されることを意味している。
【００３１】
本実施の形態において「紙葉類処理ユニット」とは、紙葉類処理装置に任意に組み合わせて導入することができるユニットであり、図１で示した態様では、取込識別ユニット１５、紙葉類反転ユニット９０、スタッカユニット６０及び紙葉類結束ユニット２００，３００の各々のことを意味している。
【００３２】
本実施の形態の操作表示部５９は、複数の紙葉類処理ユニットを表示する場合、互いに隣接した紙葉類処理ユニットを表示するようになっている。つまり、２つの紙葉類処理ユニットを表示する場合に、隣接していない紙葉類処理ユニットが同時に表示されることはなく、隣接していない２つの紙葉類処理ユニットを含む３つ以上の紙葉類処理ユニットを表示する場合には、隣接していない２つの紙葉類処理ユニットの間に配置される紙葉類処理ユニットも同時に表示される。一例として、操作表示部５９は、取込識別ユニット１５、紙葉類反転ユニット９０、スタッカユニット６０及び紙葉類結束ユニット２００を同時に表示し（図２の左上参照）、画面をスクロールすることで、操作表示部５９は、２つの紙葉類結束ユニット２００，３００を同時に表示する（図３の左上参照）。
【００３３】
なお、このような態様に限られることはなく、本実施の形態の操作表示部５９は、互いに隣接していない紙葉類処理ユニットを同時に表示するようにしてもよい。このような態様によれば、例えば互いに隣接していない紙葉類処理ユニットで同時にエラーが生じた場合において、エラーが生じた複数の紙葉類処理ユニットを同時に表示することができる。このような表示とすることで、表示したい紙葉類処理ユニットだけをまとめて表示することができるという利点がある。
【００３４】
表示を切り換える際には、操作表示部５９を操作することで、当該操作表示部５９の操作時に表示されていない紙葉類処理ユニットのうち、操作表示部５９の操作時に表示されている紙葉類処理ユニットに隣接した紙葉類処理ユニットを表示するよう、操作表示部５９の表示が切り換えられる。この点について例を用いて説明する。例えば、取込識別ユニット１５、紙葉類反転ユニット９０、スタッカユニット６０及び紙葉類結束ユニット２００が表示されているが紙葉類結束ユニット３００が表示されていないときに、操作表示部５９の画面に表示されたボタンを押下する等して操作表示部５９を操作することによって、取込識別ユニット１５、紙葉類反転ユニット９０及びスタッカユニット６０の代わりに紙葉類結束ユニット３００を表示させ、結果的に、操作表示部５９に２つの紙葉類結束ユニット２００，３００が表示されることとなる。
【００３５】
また、本実施の形態では、操作表示部５９に表示されている紙葉類処理ユニットに隣接した紙葉類処理ユニットが存在しない場合、操作表示部５９の表示を切り換えることができない旨が報知される。この点について例を用いて説明する。取込識別ユニット１５、紙葉類反転ユニット９０、スタッカユニット６０及び紙葉類結束ユニット２００が表示されているときにおいて、紙葉類反転ユニット９０の左側には紙葉類処理ユニットが存在しないことから、操作表示部５９の画面に左側に画面をスクロースするためのボタンが表示されなくなったり薄く表示されたりする。同様に、２つの紙葉類結束ユニット２００，３００が表示されているときにおいて、紙葉類結束ユニット３００の右側には紙葉類処理ユニットが存在しないことから、操作表示部５９の画面に右側に画面をスクロースするためのボタンが表示されなくなったり薄く表示されたりする。ちなみに、図２の左上の表示では、左側を向いた三角が「点線」で示されており、これ以上画面をスクロールできないことが示されており、同様に、図３の左上の表示では、右側を向いた三角が「点線」で示されており、これ以上画面をスクロールできないことが示されている。他方、図２の左上の表示では、右側を向いた三角が「実線」で示されており、画面をスクロールできることが示されており、同様に、図３の左上の表示では、左側を向いた三角が「実線」で示されており、画面をスクロールできることが示されている。
【００３６】
なお、操作表示部５９には、エラーが生じた箇所に関する情報が表示されてもよい。表示の仕方としては、例えば図２及び図３の左上に示すようにエラーの生じた箇所が点灯、点滅、着色等によって強調表示され（図２及び図３ではエラーの生じた紙葉類結束ユニット２００が「太線」で示されている。）、図２及び図３の左下に示すようにエラーに関する情報が文書で表示される。また、図２及び図３の右側に示すように、操作表示部５９はエラーの解除方法を示す動画を流してもよい。
【００３７】
なお、本実施の形態の「紙葉類処理ユニットに関する情報」には、図２及び図３に示すような紙葉類処理ユニットの外観を示す情報の他に、図１に示すような紙葉類処理ユニットの内部構造を示す情報等が含まれてもよい。また、「紙葉類処理ユニットに関する情報」には、図４の左側に示すような紙葉類処理ユニットによる計数結果や、図４の右上や図５に示すような紙葉類処理ユニットのスタッカパターン等の設定情報が含まれてよい。また、「紙葉類処理ユニットに関する情報」には、図２及び図３に示すような紙葉類処理ユニットの外観を示す情報が含まれている必要は必ずしもなく、「紙葉類処理ユニットに関する情報」には、図１に示すような紙葉類処理ユニットの内部構造を示す情報、図４の左側に示すような紙葉類処理ユニットによる計数結果及び図４の右上や図５に示すような紙葉類処理ユニットのスタッカパターン等の設定情報のいずれか１つ又は複数が含まれていてもよい。
【００３８】
ちなみに、図４は、当該図４の真ん中上方に示された「ＰＣＳ」が選択されている状態を示しており、金種毎で、損券、正券、全枚数、帯封束数の各々が表示される。なお図４において、損券は「ＵＮＦＩＴ」の欄で表示され、正券は「ＦＩＴ」の欄で表示され、「ＣＯＵＮＴ」では全枚数の欄で表示され、帯封束数は「Ｓｔｒａｐｓ」の欄で表示される。なお、図４の「ＡＭＴ」が選択されると合計金額が表示されることとなる。ちなみに図４で「○○Ａ」と表示されているのは「旧券」を示し、「○○」と表示されて「Ａ」がついていないものは「新券」を示している。図４において「ＳＴＡＲＴ」と表示されているのは識別計数を開始するためのボタンである。また、図４において「ＡＣＣＥＰＴ」と表示されているのは取引を確定するためのボタンである。また、図４において「ＴＯＴＡＬ」と表示されているのは確定済みの全ての取引の内容を表示するためのボタンである。また、図４において「ＣＬＥＡＲ」と表示されているのは操作表示部５９に表示されている計数結果を消去するためのボタンである。
【００３９】
図４の右上に表示された「ＳＥＴＴＩＮＧ」を選択すると、スタッカ６１ａ−６１ｄ等に集積される紙葉類の設定を変える設定画面に切り換わる。また、操作表示部５９の右上にはスタッカパターン等の設定情報が表示されており、具体的には図４では「Ｐａｔｔｅｒｎ ２」のスタッカパターンが表示されている。なお、後述する記憶部５６では複数のスタッカパターン等の設定情報を記憶しており、図４に示した態様では、「Ｐａｔｔｅｒｎ ２」の両脇に示されたボタンを押下することで、異なるスタッカパターンを操作表示部５９に順次表示させることができる。
【００４０】
また、操作表示部５９に示された三角ボタン（「△」「▲」）を押下することで画面をスクロールさせることができる。より具体的には、スタッカパターンに隣接して表示された上下方向の三角ボタンを押下することで、現在表示されていない紙葉類処理ユニットの設定情報を表示させることができ、図４に示した態様では下方向の三角ボタンを押下することで紙葉類結束ユニット３００のスタッカパターンを表示することができる。また、紙葉類処理ユニットの外観を示した図４の右下の左右方向の三角ボタンを押下することで、現在表示されていない紙葉類処理ユニットの外観を表示することができ、図４に示した態様では右方向の三角ボタンを押下することで紙葉類結束ユニット３００の外観を表示することができる。なお、図４では白抜きの三角（「△」）は隣接する紙葉類処理ユニットに関する情報がなく表示することができないことを示しており、黒塗りの三角（「▲」）は隣接する紙葉類処理ユニットに関する情報を表示することができることを示している。また、設定情報と外観（なお、この「外観」は後述する「基本情報」の一例である。）は、同じ紙葉類処理ユニットに関する情報が表示されるようにしてもよい。このような表示を行うために、設定情報と外観（基本情報）のいずれか一方の表示がスクロールされたときは、他方の表示も連動して自動的にスクロールされるようにしてもよい。
【００４１】
ちなみに、本実施の形態では画面の表示をスクロールさせるのに「ボタン」を用いて説明しているが、これは一例に過ぎない。つまり、操作表示部５９の表示を切り換える「切換部」が存在すればよく、本実施の形態で説明している「ボタン」は、この切換部の一例に過ぎない。
【００４２】
なお、操作表示部５９は、紙葉類処理ユニットの外観を示す情報や紙葉類処理ユニットの内部構造を示す情報を表示する際、エラーが発生した箇所、筐体のカバーが開いている箇所、確定処理をした後で紙葉類が残っている箇所等のオペレータによる何らしかの処理を要求する箇所について、点灯、点滅、着色等して強調表示してもよい。
【００４３】
本実施の形態では、一例として、紙葉類処理ユニットに関する情報が、紙葉類処理ユニットの外観を示す情報と紙葉類処理ユニットの設定情報とを含んだ態様を採用することができる。このような態様では、図２及び図３の左上に示されるような紙葉類処理ユニットの外観を示す情報を操作表示部５９からオペレータが選択することで、操作表示部５９が、図４の右上や図５に示されたような紙葉類処理ユニットの設定情報を、選択された当該紙葉類処理ユニットに関して拡大して表示するようになってもよい。
【００４４】
図５に示された態様で説明すると、図２及び図３の左上に示されるような紙葉類処理ユニットの外観を示す情報において、オペレータが紙葉類結束ユニット２００を選択することで、図５に示すような紙葉類結束ユニット２００の設定情報が表示されることとなる。なお、図５において「紙葉類結束ユニットＡ」が紙葉類結束ユニット２００に対応している。そして、一番上の設定情報が結束用紙葉類集積部２１０ａに関するものであり、真ん中の設定情報が結束用紙葉類集積部２１０ｂに関するものであり、一番下の設定情報が結束用紙葉類集積部２１０ｃに関するものとなっている。
【００４５】
なお、紙葉類処理ユニットに関する情報が紙葉類処理ユニットの内部構造を示す情報と紙葉類処理ユニットの設定情報とを含んだ態様においては、オペレータが紙葉類処理ユニットの内部構造を示す情報を選択することで、操作表示部５９に選択された紙葉類処理ユニットの設定情報が表示されるようになってもよい。
【００４６】
図６に示すように、紙葉類処理装置１００は様々な情報を記憶する記憶部５６も備えている。この記憶部５６には、各紙葉類処理ユニットに関する情報と、紙葉類処理システムに含まれる紙葉類処理ユニットの構成及び配置が記憶されている。ここで、各紙葉類処理ユニットに関する情報としては、各紙葉類処理ユニットの外観又は各紙葉類処理ユニットの内部構造を示す基本情報を一例として挙げることができる。そして、操作表示部５９は、記憶部５６に記憶された、各紙葉類処理ユニットの基本情報並びに紙葉類処理システムに含まれる紙葉類処理ユニットの構成及び配置に基づいて、紙葉類処理ユニットに関する情報を表示するようになっている。なお、本実施の形態の記憶部５６には、操作表示部５９の基本情報と、当該操作表示部５９の配置も記憶されている。
【００４７】
この点について、図１に示された態様を用いて説明すると、記憶部５６には、紙葉類処理システムに、取込識別ユニット１５、紙葉類反転ユニット９０、スタッカユニット６０、紙葉類結束ユニット２００及び紙葉類結束ユニット３００が含まれる構成となっており、紙葉類反転ユニット９０、スタッカユニット６０、紙葉類結束ユニット２００及び紙葉類結束ユニット３００が左から順に配置され、かつ、スタッカユニット６０上に取込識別ユニット１５が配置されていることが記憶されている。また、記憶部５６には、取込識別ユニット１５、紙葉類反転ユニット９０、スタッカユニット６０及び紙葉類結束ユニット２００，３００の基本情報が記憶されている。
【００４８】
そして、操作表示部５９は、紙葉類処理ユニットの構成及び配置に関する情報に基づいて、記憶部５６に記憶されている取込識別ユニット１５、紙葉類反転ユニット９０、スタッカユニット６０及び紙葉類結束ユニット２００，３００の基本情報を読み出し、その結果、紙葉類処理ユニットに関する情報を表示するようになっている。
【００４９】
なお、本実施の形態では、図６に示すように、制御部５０に、取込部１０、搬送部７０、長手反転部９１、短手反転部９５、結束部２５０，３５０、結束前搬送部２２０，３２０、結束後搬送部２６０，３６０、スタッカ６１ａ−６１ｄ、リジェクト部６５ａ，６５ｂ、記憶部５６、識別計数部５５、操作表示部５９、分岐部材７１、センサ７２等が接続されており、制御部５０は、これらを制御したりこれらから情報を取得したりする。
【００５０】
ところで、上記では、取込識別ユニット１５、紙葉類反転ユニット９０、スタッカユニット６０、紙葉類結束ユニット２００及び紙葉類結束ユニット３００が含まれる紙葉類処理システムを用いて説明したが、紙葉類処理システムの態様としては、当然、これに限られることはない。既に述べているように、「紙葉類処理ユニット」とは、紙葉類処理装置に任意に組み合わせて導入することができるユニットであり、例えば、図７に示すように取込識別ユニット１５と２つのスタッカユニット６０ａ，６０ｂと１つの紙葉類結束ユニット２００が含まれる態様、図８に示すように取込識別ユニット１５と２つのスタッカユニット６０ａ，６０ｂと２つの紙葉類結束ユニット２００，３００が含まれる態様、図９に示すように取込識別ユニット１５と３つのスタッカユニット６０ａ，６０ｂ，６０ｃが含まれる態様、図１０に示すように取込識別ユニット１５と１つのスタッカユニット６０と３つの紙葉類結束ユニット２００，３００，４００が含まれる態様のように、様々な組み合わせが考えられる。
【００５１】
また、例えば、図８に示す態様のように、比較的長さの長い紙葉類処理装置１００となっている場合には、操作表示部５９は、取込識別ユニット１５、２つのスタッカユニット６０ａ，６０ｂ及び紙葉類結束ユニット２００を同時に表示し、画面をスクロールすることで、操作表示部５９は、スタッカユニット６０ｂ、２つの紙葉類結束ユニット２００，３００を同時に表示してもよい。同様に、図１０に示す態様において、操作表示部５９は、取込識別ユニット１５、スタッカユニット６０ｂ、２つの紙葉類結束ユニット２００，３００を同時に表示し、画面をスクロールすることで、操作表示部５９は、３つの紙葉類結束ユニット２００，３００，４００を同時に表示してもよい。
【００５２】
本実施の形態では、主として、紙葉類処理システムが紙葉類処理装置１００そのものを意味する態様を用いて説明したが、これに限られることはない。例えば、操作表示部（入力部、表示部）や記憶部が紙葉類処理装置１００と別体となっていてもよく、また、これら操作表示部（入力部、表示部）及び記憶部の一方又はその両方が、例えば紙葉類処理装置１００から離隔して配置されて当該紙葉類処理装置１００を管理する管理装置に設けられてもよい。このような変形例は、既に述べているが、「特許請求の範囲」で記載されている「紙葉類処理システム」が、紙葉類処理装置１００そのものを意味することもあれば、紙葉類処理装置１００とそれ以外の装置とを組み合わせたものを意味することもあることに基づいている。
【００５３】
《方法》
次に、上述した紙葉類処理装置１００を用いた紙葉類処理方法について、簡単に説明する。
【００５４】
紙葉類を受入部１１に複数の紙葉類を載置し、取込部１０によって紙葉類が１枚ずつ筐体１内に取り込まれることで、入金処理、出金処理等の紙葉類の処理が行われる。なお、このように筐体１内に取り込まれた紙葉類は搬送部７０によって搬送され、識別計数部５５によって識別計数された後で、スタッカ６１ａ−６１ｄ、結束用紙葉類集積部２１０ａ−２１０ｃ，３１０ａ−３１０ｃ等の収容部に収容される。
【００５５】
例えばこのように紙葉類を処理している間にエラーが発生すると、操作表示部５９にエラーが発生した紙葉類処理ユニットに関する情報が表示される。そして、操作表示部５９に複数の紙葉類処理ユニットのうちの一部を表示する際には、エラーの発生した紙葉類処理ユニットを含む複数の紙葉類処理ユニットがユニット単位で表示されることとなる。
【００５６】
この点について、図１１（ａ）に示した態様で説明する。図１１（ａ）では、紙葉類結束ユニット３００でエラーが発生し、２つの紙葉類結束ユニット２００，３００が表示される態様となっている。図１１（ａ）で示すように、エラーが発生した紙葉類結束ユニット３００は拡大して表示されるとともに点滅して強調表示されている。また、操作表示部５９には、紙葉類結束ユニット３００と、これに隣接した紙葉類結束ユニット２００が表示されることとなる。なお、操作表示部５９で表示されている画面はスクロールできるようになっており、操作表示部５９に表示されている左側を向いた三角ボタンを押下することで、図１１（ｂ）に示すように、取込識別ユニット１５、紙葉類反転ユニット９０、スタッカユニット６０及び紙葉類結束ユニット２００が表示されることとなる。ちなみに、図１１（ａ）（ｂ）では、紙葉類処理ユニットの外観が拡大して表示されているが、このような態様ではなく、図２及び図３に示すような表示態様であってもよい。
【００５７】
ちなみに、複数の紙葉類処理ユニットでエラーが発生した場合には、例えば、紙葉類の搬送方向において下流側に位置する紙葉類処理ユニットが優先して表示されてもよい。図１に示された態様で言うと、紙葉類結束ユニット３００＞紙葉類結束ユニット２００＞スタッカユニット６０＞紙葉類反転ユニット９０＞取込識別ユニット１５の順で優先順位が下がることとなる。これとは別の例としては、エラーを解除する上で好ましいと考えられる順番に従って、紙葉類処理ユニットを順に表示するようにしてもよい。この場合には、オペレータが、自然に、エラーを解除する上で好ましい順序に従って紙葉類処理ユニットに対するエラー解除処理を行うことができる点で有益である。
【００５８】
《作用・効果》
次に、上述した構成からなる本実施の形態による作用・効果について説明する。
【００５９】
本実施の形態によれば、操作表示部５９は、複数の紙葉類処理ユニットのうちの一部を表示する際、紙葉類処理ユニットをユニット単位で表示する。このため、このように複数の紙葉類処理ユニットのうちの一部が表示部で表示された際に、複数の紙葉類処理ユニットのうちのどの紙葉類処理ユニットが表示されているのかを、オペレータが直感的に把握しやすい。
【００６０】
この点について説明する。
【００６１】
特許文献１に開示されているような従来の紙葉類処理システムの表示部では、紙葉類処理システムの全体を表示しており、エラーが発生した箇所等の本来表示したい箇所は小さく表示されるに過ぎない（特許文献１の図４の（Ａ１）（Ｃ１）（Ｃ２）参照）。このため、例えばどのようなエラーがどこで発生したのかを詳細にオペレータが把握することができない。この点、何ら考慮することなく表示したい箇所を拡大して表示することも考えられる。しかしながら、表示したい箇所を単に拡大すると、紙葉類処理ユニットが途中で切れた状態で表示され、どの紙葉類処理ユニットが表示されているのかを、オペレータが直感的に把握しにくい場合がある。
【００６２】
これに対して、本実施の形態によれば、操作表示部５９が、複数の紙葉類処理ユニットのうちの一部を表示する際、紙葉類処理ユニットをユニット単位で表示する。このため、紙葉類処理ユニットが途中で切れて表示されることはなく、紙葉類処理ユニットの全体の外観や内部構造が表示されるので、拡大して表示した際でもどの紙葉類処理ユニットが表示されているのかを、オペレータが直感的に把握しやすい（図２及び図３の左上、図４の右下並びに図１１（ａ）（ｂ）参照）。
【００６３】
また、単純に画像を拡大して表示する場合には、エラーが発生した箇所等の本来表示したい箇所とは無関係な箇所も表示されてしまうが、そのような無関係な箇所を拡大して表示することに大きな意味がない。この点、本実施の形態によれば、拡大したい紙葉類処理ユニットのみを表示することもでき、ひいては、拡大したい箇所をより大きく表示することができる。
【００６４】
また、本実施の形態では、複数の紙葉類処理ユニットを表示する場合、互いに隣接した紙葉類処理ユニットを表示するようになっている（図２及び図３の左上、図４の右下並びに図１１（ａ）（ｂ）参照）。このため、紙葉類処理ユニットの実際の配置位置と操作表示部５９で表示される紙葉類処理ユニットの配置位置とを合致させることができ、オペレータは例えばエラーの生じた箇所を把握しやすくなる。
【００６５】
また、本実施の形態では、操作表示部５９を操作することで、当該操作表示部５９の操作時に表示されていない紙葉類処理ユニットのうち、操作表示部５９の操作時に表示されている紙葉類処理ユニットに隣接した紙葉類処理ユニットを表示することができる（図２及び図３の左上並びに図１１（ａ）（ｂ）参照）。このため、紙葉類処理ユニットの実際の配置位置に合致させて画面を遷移させることができ、オペレータは現在どの紙葉類処理ユニットの情報を見ているのかを把握しやすくなる。
【００６６】
また、本実施の形態では、操作表示部５９に表示されている紙葉類処理ユニットに隣接した紙葉類処理ユニットが存在しない場合、操作表示部５９の表示を切り換えることができない旨が報知される（図２及び図３の左上並びに図１１（ａ）（ｂ）参照）。このため、オペレータは、これ以上画面を遷移させることができないことを予め把握することができる。
【００６７】
また、「紙葉類処理ユニットに関する情報」に外観を示す情報が含まれる場合には（図２及び図３の左上並びに図１１（ａ）（ｂ）参照）、実際の見た目と操作表示部５９に表示されている内容とが合致していることから、オペレータは例えばどの箇所でエラーが発生したのかを容易に把握することができる。
【００６８】
また、「紙葉類処理ユニットに関する情報」に紙葉類処理ユニットの内部構造を示す情報が含まれる場合には（図１参照）、例えば具体的に紙葉類処理ユニットの内部構造のどの部分でエラーが発生したのかを操作表示部５９で確認することができるので、エラーからの復旧を早期に実現しやすくなる。ちなみに、図１では細かな図面を示しているが、「紙葉類処理ユニットに関する情報」が紙葉類処理ユニットの内部構造を示す情報である場合には、もっと簡略化した図面を用いることが考えられる。
【００６９】
また、「紙葉類処理ユニットに関する情報」に紙葉類処理ユニットの設定情報が含まれている場合には（図４の右上及び図５参照）、紙葉類処理ユニットがどのような設定になっているかをオペレータが把握することができる。
【００７０】
なお、「紙葉類処理ユニットに関する情報」が、紙葉類処理ユニットの外観を示す情報又は紙葉類処理ユニットの内部構造を示す情報と、紙葉類処理ユニットの設定情報とを含み、オペレータが紙葉類処理ユニットの外観を示す情報又は紙葉類処理ユニットの内部構造を示す情報を選択することで、操作表示部５９が選択された紙葉類処理ユニットの設定情報を表示する態様を採用した場合には、オペレータは、紙葉類処理ユニットの外観を示す情報又は紙葉類処理ユニットの内部構造を示す情報を選択するだけで、選択した紙葉類処理ユニットの設定情報を確認することができる。そして、紙葉類処理ユニットの外観を示す情報又は紙葉類処理ユニットの内部構造は、実際の紙葉類処理ユニットの配置状態に合致していることから、オペレータは、現在、どの紙葉類処理ユニットの設定情報を確認しているのかを容易に把握することができる。
【００７１】
また、本実施の形態では、記憶部５６が、各紙葉類処理ユニットの基本情報と、紙葉類処理システムに含まれる紙葉類処理ユニットの構成及び配置を記憶するようになっている。そして、操作表示部５９は、記憶部５６に記憶された、各紙葉類処理ユニットの基本情報並びに紙葉類処理システムに含まれる紙葉類処理ユニットの構成及び配置に基づいて、紙葉類処理ユニットに関する情報を表示するようになっている。このため、本実施の形態によれば、紙葉類処理ユニットの構成（組み合わせ）や配置を変えたとしても、改めて画像データを準備する必要がなく、コストを抑えて、顧客の自由な運用に態様しやすくすることができる。
【００７２】
つまり、本実施の形態では、記憶部５６に各紙葉類処理ユニットの基本情報が記憶されている。そして、実際の紙葉類処理ユニットの構成や配置に関する情報が、例えば操作表示部５９を介して入力され、記憶部５６に記憶される。そして、操作表示部５９が、記憶部５６に記憶された実際の紙葉類処理ユニットの構成や配置に関する情報から、各紙葉類処理ユニットの基本情報を読み出すことで、紙葉類処理ユニットに関する情報を表示する。すなわち、本実施の形態では、紙葉類処理ユニットがユニット単位で操作表示部５９に表示されることから、各紙葉類処理ユニットの基本情報のみを記憶部５６に予め記憶させておけばよい。そして、実際の使用態様に合わせて紙葉類処理ユニットの構成や配置に関する情報を例えば操作表示部５９から入力するだけで、適宜、記憶部５６に記憶された基本情報が読み出されて、操作表示部５９に表示されることとなる。したがって、紙葉類処理システムの実際の構成（組み合わせ）や配置に合わせた画像を予め準備する必要がなく、メーカーはユーザーの自由な運用に手間及び費用をかけることなく応えることができる。
【００７３】
最後になったが、上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００７４】
１５        取込識別ユニット
５０        制御部
５６        記憶部
５９        操作表示部（表示部、入力部）
６０        スタッカユニット
９０        紙葉類反転ユニット
１００      紙葉類処理装置
２００      紙葉類結束ユニット
３００      紙葉類結束ユニット
４００      紙葉類結束ユニット
【図２】
2014229240.tif 000003
【図３】
2014229240.tif 000004
【図５】
2014229240.tif 000005
【図６】
2014229240.tif 000006
【図７】
2014229240.tif 000007
【図８】
2014229240.tif 000008
【図９】
2014229240.tif 000009
【図１０】
2014229240.tif 000010
【図１１】
2014229240.tif 000011
【図１】
2014229240.tif 000012
【図４】
2014229240.tif 000013